(57)【特許請求の範囲】
【請求項１】
第１方向と、前記第１方向とは逆の第２方向に回転されるモータと、
前記モータを前記第１方向に回転させる場合に、シャッタのチャージ動作を行うシャッタチャージ機構と、
前記モータを前記第２方向に回転させる場合に、ストロボをアップ状態にするストロボアップ機構と、
前記ストロボが前記アップ状態となったことを検出する状態検出手段と、
前記モータを前記第１方向に回転させる場合に、前記モータと前記ストロボアップ機構との伝達を切り離し、前記モータを前記第２方向に回転させる場合に、前記モータと前記シャッタチャージ機構との伝達を切り離すクラッチ機構と、
前記モータを制御する制御手段と、を有し、
前記制御手段は、前記モータを前記第２方向に回転させて前記ストロボアップ機構を駆動したのち、前記状態検出手段によって前記ストロボが前記アップ状態となったことを検出する場合には、撮影動作を実行する前に、前記モータを前記第１方向に回転させて前記シャッタチャージ機構を駆動することで、前記シャッタのチャージ動作を再び行うことを特徴とする撮像装置。
【請求項２】
第１方向と、前記第１方向とは逆の第２方向に回転されるモータと、
前記モータを前記第１方向に回転させる場合に、シャッタのチャージ動作を行うシャッタチャージ機構と、
前記モータを前記第２方向に回転させる場合に、ストロボをアップ状態にするストロボアップ機構と、
撮影動作を開始する撮影スイッチと、
前記モータを前記第１方向に回転させる場合に、前記モータと前記ストロボアップ機構との伝達を切り離し、前記モータを前記第２方向に回転させる場合に、前記モータと前記シャッタチャージ機構との伝達を切り離すクラッチ機構と、
前記モータを制御する制御手段と、を有し、
前記制御手段は、前記モータを前記第２方向に回転させて前記ストロボアップ機構を駆動したのち、前記撮影スイッチがオンされる場合には、撮影動作を実行する前に、前記モータを前記第１方向に回転させて前記シャッタチャージ機構を駆動することで、前記シャッタのチャージ動作を再び行うことを特徴とする撮像装置。
【請求項３】
前記ストロボが前記アップ状態となったことを検出する状態検出手段を有し、
前記制御手段は、前記モータを前記第２方向に回転させて前記ストロボアップ機構を駆動したのち、前記状態検出手段によって前記ストロボが前記アップ状態となったことを検出する場合に、前記モータを停止制御することを特徴とする請求項２に記載の撮像装置。
【請求項４】
光学ファインダで被写体像を観察する通常撮影モードまたは被写体像をモニタに表示するライブビュー撮影モードにて撮影可能な撮像装置であって、
第１方向と、前記第１方向とは逆の第２方向に回転されるモータと、
前記モータを前記第１方向に回転させる場合に、シャッタのチャージ動作を行うシャッタチャージ機構と、
前記モータを前記第２方向に回転させる場合に、ストロボをアップ状態にするストロボアップ機構と、
前記ストロボが前記アップ状態となったことを検出する状態検出手段と、
撮影動作を開始する撮影スイッチと、
前記モータを前記第１方向に回転させる場合に、前記モータと前記ストロボアップ機構との伝達を切り離し、前記モータを前記第２方向に回転させる場合に、前記モータと前記シャッタチャージ機構との伝達を切り離すクラッチ機構と、
前記モータを制御する制御手段と、を有し、
前記制御手段は、前記通常撮影モードでは、前記モータを前記第２方向に回転させて前記ストロボアップ機構を駆動したのち、前記状態検出手段によって前記ストロボが前記アップ状態となったことを検出する場合には、撮影動作を実行する前に、前記モータを前記第１方向に回転させて前記シャッタチャージ機構を駆動することで、前記シャッタのチャージ動作を再び行い、
前記制御手段は、前記ライブビュー撮影モードでは、前記モータを前記第２方向に回転させて前記ストロボアップ機構を駆動したのち、前記状態検出手段によって前記ストロボが前記アップ状態となったことを検出する場合には、前記モータを停止制御し、前記撮影スイッチがオンされる場合には、撮影動作を実行する前に、前記モータを前記第１方向に回転させて前記シャッタチャージ機構を駆動することで、前記シャッタのチャージ動作を再び行うことを特徴とする撮像装置。
【発明の詳細な説明】
【技術分野】
【０００１】
本発明は、ライブビューモードを有し、ストロボを内蔵した撮像装置に関する。
【背景技術】
【０００２】
従来のカメラでは、カメラに内蔵されたストロボをアップさせるのに、モータの駆動力をシャッタやミラーのチャージ、及び、ストロボを係止する係止レバーの解除等に切り換えて用いていた。また、ストロボを係止する係止レバーの解除を専用のアクチュエータを用いて行うカメラもあった。特許文献１では、１つのモータでミラーアップ、シャッタチャージ、及び、ストロボアップ等の動作を行い、ストロボアップ専用のアクチュエータを用いずに１つのモータでストロボアップと収納を行ように構成されたカメラの駆動制御装置が開示されている。
【先行技術文献】
【特許文献】
【０００３】
【特許文献１】特開平０３−５９６３５号公報
【発明の概要】
【発明が解決しようとする課題】
【０００４】
しかしながら、特許文献１に開示された従来技術では、通常撮影時には、モータの正転によりミラー駆動機構とチャージ機構とが駆動される。また、モータの逆転によりストロボ駆動機構が駆動され、内蔵ストロボが発光位置へ切り換わる。各機構は、ストロボアップ後に初期位置へ戻される。ところが、特許文献１には、被写体像をモニタにリアルタイムで表示するライブビュー撮影モードで内蔵ストロボを発光位置に駆動することについての記載はない。
【０００５】
また、ストロボアップ後に撮影を行わずにストロボを収納してカメラのスイッチを切った状態で放置して振動等を与えた場合、シャッタのチャージを行うカムの初期位置の位相がずれてエラーが発生するおそれがある。さらに、ストロボアップ後の撮影でレリーズ後、実際に露光に要する時間が長くなる。
【０００６】
そこで本発明は、シャッタチャージ機構を切り離してストロボアップを行ったとしても、シャッタチャージ機構の位相を保障することの可能な撮像装置を提供する。
【課題を解決するための手段】
【０００７】
本発明の一側面としての撮像装置は、第１方向と、前記第１方向とは逆の第２方向に回転されるモータと、前記モータを前記第１方向に回転させる場合に、シャッタのチャージ動作を行うシャッタチャージ機構と、前記モータを前記第２方向に回転させる場合に、ストロボをアップ状態にするストロボアップ機構と、前記ストロボが前記アップ状態となったことを検出する状態検出手段と、前記モータを前記第１方向に回転させる場合に、前記モータと前記ストロボアップ機構との伝達を切り離し、前記モータを前記第２方向に回転させる場合に、前記モータと前記シャッタチャージ機構との伝達を切り離すクラッチ機構と、前記モータを制御する制御手段と、を有し、前記制御手段は、前記モータを前記第２方向に回転させて前記ストロボアップ機構を駆動したのち、前記状態検出手段によって前記ストロボが前記アップ状態となったことを検出する場合には、撮影動作を実行する前に、前記モータを前記第１方向に回転させて前記シャッタチャージ機構を駆動することで、前記シャッタのチャージ動作を再び行うことを特徴とする。
本発明の他の目的及び特徴は、以下の実施例において説明される。
【発明の効果】
【０００８】
本実施例によれば、シャッタチャージ機構を切り離してストロボアップを行ったとしても、シャッタチャージ機構の位相を保障することができる。
【図面の簡単な説明】
【０００９】
【図１】実施例１のカメラにおけるシャッタチャージ機構及びストロボアップ機構の構成図である。
【図２】実施例１のカメラにおける電機ブロック図である。
【図３】実施例１及び２のカメラにおいて、通常撮影モード時のシャッタチャージ機構及びストロボアップ機構の作動説明図である。
【図４】実施例１及び２のカメラにおいて、ライブビューモード時のシャッタチャージ機構及びストロボアップ機構の作動説明図である。
【図５】実施例２のカメラにおいて、電子先羽根とメカ後羽根の関係を示す正面図である。
【発明を実施するための形態】
【００１０】
以下、本発明の実施例について、図面を参照しながら詳細に説明する。各図において、同一の部材については同一の参照番号を付し、重複する説明は省略する。
【実施例１】
【００１１】
まず、本発明の実施例１のカメラについて説明する。図１は、本実施例のカメラにおけるシャッタチャージ機構及びストロボアップ機構の構成図である。本実施例のカメラは、光学ファインダで被写体像を観察する通常撮影モードと、被写体像をモニタにリアルタイムで表示するライブビュー撮影モードで撮影可能に構成されている。したがって、通常撮影モードではシャッタは閉鎖された状態で被写体を観察し、ライブビュー撮影モードででは、シャッタを開放した状態で被写体を観察する。
【００１２】
図１において、１はシャッタチャージ機構であり、減速ギヤ１５および１６、カムギヤ１７、チャージレバー１８から構成されている。シャッタチャージ機構１は、主にシャッタのチャージ動作を行う。シャッタチャージモータ１０（モータ）は、正転すると（第１方向へ回転すると）、ピニオンギヤ１１、太陽ギヤ１２、遊星ギヤ１４、及び、減速ギヤ１５、１６を経て、カムギヤ１７を図中の矢印の方向に回転させる。カムギヤ１７と一体的に形成されたチャージカム１７ａは、チャージレバー１８に設けられたチャージコロ１８ａを押す。チャージレバー１８は、回転軸１８ｃを回転中心として反時計方向に回転し、チャージレバー１８の先端に設けられた第２チャージコロ１８ｂでシャッタチャージレバー１９の当接部１９ａを矢印Ａの方向に押す。シャッタチャージレバー１９は、不図示のシャッタ羽根を駆動する駆動レバーをチャージし、シャッタをチャージする。
【００１３】
シャッタチャージモータ１０が逆転すると（第１方向とは逆の第２方向へ回転すると）、遊星ギヤクラッチ２（クラッチ機構）を構成する太陽ギヤ１２が逆転の矢印方向に回転する。また、遊星ギヤ１４が太陽ギヤ１２を中心として遊星アーム１３と一緒に反時計方向に回転し、図中の破線のようにストロボ駆動ギヤ２０と噛み合う。
【００１４】
３はストロボ係止解除機構であり、ストロボ駆動ギヤ２０、フック解除ギヤ２１、ストロボフック２２、及び、フック戻しバネ２３から構成されている。ストロボ係止解除機構３は、内蔵ストロボ２４の係止を解除してストロボアップを行う。ストロボ駆動ギヤ２０は、フック解除ギヤ２１を回転させる。フック解除ピン２１ａがストロボフック２２のピン当り部２２ａを押し、フック戻しバネ２３に抗してストロボフック２２を反時計方向に駆動すると、ストロボフック２２の係止部２２ｂが係止板２７から外れる。
【００１５】
内蔵ストロボ２４は、ストロボアップバネ２９に抗して内蔵ストロボ２４をダウン状態で係止する係止板２７、ストロボ発光部２６、及び、内蔵ストロボ２４をポップアップするときの回転軸２５等を備える。ストロボアップバネ２９は回転軸２５と同軸上に配置されたトーションバネで、腕の一端が内蔵ストロボ２４内のバネ受け部２８に接し、他端がカメラの上カバー４内に設けられたバネ掛け部５に接する。このため、内蔵ストロボ２４をアップさせる方向に所定の力が働く。内蔵ストロボ２４がアップ状態にあるのか、ダウン状態にあるのかを検出する状態検出スイッチ６４が回転軸２５に設けられている。
【００１６】
前述のとおり、シャッタチャージモータ１０は、第１方向（正転方向）へ回転することによりシャッタチャージ機構１を作動させ、第１方向とは逆の第２方向（逆転方向）へ回転することによりストロボ係止解除機構３を作動させる。遊星ギヤクラッチ２は、シャッタチャージモータ１０の駆動力をシャッタチャージ機構１又はストロボ係止解除機構３のいずれか一方に伝達するように切り換える。このため、ストロボ係止解除機構３が駆動した場合でも、シャッタチャージ機構１が駆動することはない。従って、チャージカム１７ａの形状を決める際の自由度を高くすることができる。
【００１７】
図２は、本実施例のカメラにおける電気ブロック図である。図２において、３０は、被写体からの反射光を電気信号に変換するＣＣＤやＣＭＯＳ等の撮像素子である。３１は前処理回路であり、撮像素子３０の出力ノイズを除去するためのＣＤＳ回路やＡ／Ｄ変換前に行う非線形増幅回路を備える。３２は、アナログ出力をデジタル信号に変換するＡ／Ｄ変換器である。３３はバッファメモリ、３４はバッファメモリ３３の読み書き動作やリフレッシュ動作等を制御するメインコントローラ、４７は撮影シーケンス等のシステムを制御するシステム制御用ＣＰＵである。４６は、画像表示部４５内に表示され、操作補助のための表示やカメラの状態表示を行う操作表示部であり、４４は、カメラを外部から操作する操作部であり、撮影モードの切り換え等を行う。
【００１８】
３５は、後述の拡張ユニット３６とのインターフェースである。３６は、着脱自在な拡張ユニットであり、カメラ本体に接続して各種処理や操作を行う。３７は後述のメモリカード３８と接続するためのインターフェース、３８はカメラからのデータを記録する着脱可能なメモリカード（記録媒体）であり、ＥＥＰＲＯＭやフラッシュメモリ等の不揮発性固体メモリ素子等を有する。３９は、カメラの制御を行うためのＥＥＰＲＯＭ（電気的に書き換え可能な不揮発性メモリ）であり、４０は各種制御の補正に用いるためのカメラ内部の温度を測定して保持する温度計である。
【００１９】
４１は、システムに電源を投入するためのカメラのメインスイッチである。４２は、レリーズボタン（不図示）を押圧することで自動焦点機能や自動露出機能等の撮影スタンバイ動作を行うためのスイッチ（ＳＷ１）である。４３は、スイッチ４２（ＳＷ１）がオンした後、レリーズボタンが更に押圧されることで撮影を行う撮影スイッチ（ＳＷ２）である。４５は、撮影した画像データの表示や、ライブビュー状態での被写体像を表示する液晶パネル等の画像表示部である。
【００２０】
また、撮像素子３０には、パルス発生回路４８から走査クロックや所定の制御パルスが供給される。パルス発生回路４８で発生した走査クロックのうち垂直走査用のクロックは、垂直駆動変調回路４９によって、クロック周波数が所定の周波数に変調され、撮像素子３０に入力される。垂直駆動変調回路４９によって、電子先羽根のリセット走査の走査パターンが決定される。
【００２１】
５０は、レンズ駆動５１、シャッタチャージモータ１０、及び、ミラーチャージモータ５２等を駆動するメカ系駆動回路である。シャッタチャージモータ１０は、正転方向の回転でシャッタの撮影準備動作やチャージ等のシャッタチャージ機構１を作動させ、逆転方向の回転で内蔵ストロボ２４の係止を解除して内蔵ストロボ２４をアップさせる。メカ系駆動回路５０は、システム制御用ＣＰＵ４７（制御手段）により制御される。すなわち、システム制御用ＣＰＵ４７は、通常撮影モード時には、ストロボアップ動作を行った後、状態検出スイッチ６４によって内蔵ストロボ２４がアップ状態となったことが検出されると、シャッタの再チャージ動作を行うように制御する。一方、ライブビュー動作モード時には、ストロボアップ動作を行った後、状態検出スイッチ６４によって内蔵ストロボ２４がアップ状態となったことが検出されても、シャッタの再チャージ動作を行わない。そして、露光動作を行う際又はライブビュー撮影モードから通常撮影モードに切り替えられるときに、再チャージ動作を行うように制御する。詳細については後述する。
【００２２】
ミラーチャージモータ５２は、ミラー５３の駆動やチャージを行う。５６は、シャッタ羽根の係止を解除するためのロータ（不図示）を駆動する先羽根駆動コイル５７と後羽根駆動コイル５８への通電を行うシャッタ制御回路である。シャッタ制御回路５６は、撮像素子３０への露光時間の制御を行う。５４は、ミラー５３の駆動やチャージ等を行うミラーチャージモータ５２の制御に用いられる位相を検出する位相検出部である。５５は、カムギヤ１７の回転位相を検出する位相検出部である。位相検出部５５から出力される位相信号は
シャッタチャージ機構１を作動させるシャッタチャージモータ１０の制御に用いられる。位相検出部５５は、カムギヤ１７のチャージカム１７ａとは反対の面に設けられたバネ性を有した導電性の複数の接片が、位相基板の導通部と非導通部から構成されるパターン上を移動して出力されるＯＮ／ＯＦＦ信号である。本実施例では、位相検出部５５はカムギヤ１７の２箇所の回転位相を検出している。
【００２３】
５９は被写体測光のための測光装置であり、６０は被写体測距のための測距装置である。６１は電子ブザーであり、各種の警告や作動状態を音に変換する。６３は、電池等のカメラの電源６２の電圧を一定の出力電圧に変換するＤＣ／ＤＣコンバータであり、システム制御用ＣＰＵ４７等の各回路に変換後の電圧を供給する。６４は内蔵ストロボ２４がアップ状態にあるのか、ダウン状態にあるのかを検出する状態検出スイッチである。
【００２４】
次に、本実施例における通常撮影モード時のシャッタチャージ機構及びストロボアップ機構の動作について説明する。図３は、本実施例のカメラにおいて、通常撮影モード時のシャッタチャージ機構及びストロボアップ機構の作動説明図である。図３（ａ）は、通常撮影モードの待機状態を示し、図３（ｂ）は、通常撮影モードで、シャッタ羽根が走行可能になったシャッタ撮影準備状態を示す。図３（ｃ）は、通常撮影モードで、内蔵ストロボ２４をアップさせた状態を示し、図３（ｄ）は、通常撮影モードで、内蔵ストロボ２４をアップさせた後の状態を示す。
【００２５】
まず、通常撮影モード時の動作について説明する。カメラは、まず、図３（ａ）に示される状態で待機している。通常撮影モードでレリーズボタン（不図示）が押されて撮影スイッチ（ＳＷ２）がＯＮすると、シャッタチャージモータ１０を正転方向に回転させる。このとき、カムギヤ１７が時計方向に回転してチャージコロ１８ａがチャージカム１７のカムトップから外れる位置まで回転すると、位相検出部５５が、第２の位相信号Ｂを出力する。シャッタチャージモータ１０は、第２の位相信号Ｂが出力されることで、停止制御される。この状態が、図３（ｂ）のシャッタ撮影準備状態になる。この状態になると、シャッタチャージレバー１９が不図示の付勢バネの力で反時計方向に回転し、シャッタの先羽根と後羽根が走行可能な状態になる。その後、所定の時間でシャッタ制御回路５６から先羽根駆動コイル５７と後羽根駆動コイル５８に通電が行われるとシャッタの先羽根と後羽根が走行し、露光動作が行われる。
【００２６】
露光動作が終了すると、シャッタチャージモータ１０が正転方向に回転して、ピニオンギヤ１１、太陽ギヤ１２、遊星ギヤ１４、減速ギヤ１５、１６、及び、カムギヤ１７を駆動する。そして、チャージカム１７ａによってチャージレバー１８を介してシャッタチャージレバー１９をチャージする。そして、チャージコロ１８ａがチャージカム１７ａのカムトップに位置する状態となると、位相検出部５５が第１の位相信号Ａを出力する。シャッタチャージモータ１０は、第１の位相信号Ａが出力されることで、停止制御される。この状態が、図３（ａ）の待機状態になる。
【００２７】
次に、通常撮影モードで内蔵ストロボをアップさせる場合の動作について説明する。通常撮影モードでストロボ撮影が必要になった場合、シャッタチャージモータ１０が逆転方向に回転し、図３（ｃ）に示されるように、遊星ギヤ１４がストロボ駆動ギヤ２０に噛み合う。ストロボ駆動ギヤ２０は、フック解除ギヤ２１を回転させて、ストロボフック２２をフック戻しバネに抗して反時計方向に駆動し、係止板２７からストロボフック２２を外して内蔵ストロボ２４を図３（ｃ）に示されるようにアップさせる。
【００２８】
状態検出スイッチ６４によって内蔵ストロボ２４がアップ状態となったことが検出されると、シャッタチャージモータ１０の回転方向を反転して、正転方向に回転する。シャッタチャージモータ１０が正転方向に回転すると、遊星ギヤ１４はストロボ駆動ギヤ２０から外れて、減速ギヤ１５と噛み合う。そして、シャッタチャージモータ１０は第１の位相信号Ａの出力によって、停止制御される。したがって、シャッタチャージモータ１０は第１の位相信号Ａが出力されるまで正転方向に回転するので、これによって、シャッタは再チャージされることとなる。この状態が、図３（ｄ）に示される状態になる。このとき、フック解除ギヤ２１は１回転して停止し、ストロボフック２２は、係止板２７から係止部２２ｂが外れた後、係止板２７から外れる前の状態に戻る。
【００２９】
その後、レリーズボタンが押圧されて撮影スイッチ（ＳＷ２）がＯＮすると、シャッタチャージモータ１０が正転方向に回転する。このとき、カムギヤ１７が時計方向に回転し、チャージコロ１８ａがチャージカム１７のカムトップから外れる位置まで回転すると、第２の位相信号Ｂが出力される。この第２の位相信号Ｂの出力によってシャッタチャージモータ１０は停止制御され、図３（ｂ）に示されるシャッタ撮影準備状態になる。
【００３０】
その後、所定の時間でシャッタ制御回路５６から先羽根駆動コイル５７と後羽根駆動コイル５８に通電が行われると、シャッタの先羽根が走行し、先羽根に連動して内蔵ストロボ２４が発光する。内蔵ストロボ２４の発光後に後羽根が走行し、内蔵ストロボ２４を用いた露光が行われる。
【００３１】
露光動作が終了すると、シャッタチャージモータ１０が正転方向に回転し、ピニオンギヤ１１、太陽ギヤ１２、遊星ギヤ１４、減速ギヤ１５、１６、及び、カムギヤ１７を駆動する。チャージカム１７ａによってチャージレバー１８を介してシャッタチャージレバー１９をチャージする。そして、チャージコロ１８ａがチャージカム１７ａのカムトップに位置する状態となると、位相検出部５５が第１の位相信号Ａを出力する。シャッタチャージモータ１０は、第１の位相信号Ａが出力されることで、停止制御され、図３（ａ）に示される待機状態になる。
【００３２】
本実施例では、内蔵ストロボ２４がアップ状態となったことに応じて、シャッタチャージモータ１０を位相検出部５５が第１の位相信号Ａを出力するまで正転方向に回転させる。このため、内蔵ストロボ２４をアップさせた状態で撮影を中断した場合でも、ピニオンギヤ１１からカムギヤ１７までの機構が連結された状態になっている。ピニオンギヤ１１からカムギヤ１７までの機構が連結された状態では、遊星ギヤ１４がストロボ駆動ギヤ２０と噛み合っている状態に比べて、カメラに振動等が加わったとき、カムギヤ１７の位置ずれを抑制できる。
【００３３】
本実施例では、遊星ギヤ１４を減速ギヤ１５に噛み合わせる際に、チャージ完了位置を示す第１の位相信号Ａを利用して、シャッタチャージモータ１０を停止させている。このため、新たな位相信号を必要としない。また、内蔵ストロボ２４がアップ状態となったことを検出して、シャッタチャージモータ１０の回転方向を反転させて遊星ギヤ１４を減速ギヤ１５に噛み合った状態になっている。このため、レリーズボタンを押圧して撮影スイッチ（ＳＷ２）がＯＮしてから、遊星ギヤ１４を切り替える場合よりも、短い時間で、撮影を行うことができる。
【００３４】
内蔵ストロボ２４をダウン状態にする場合、内蔵ストロボ２４の上部を手でダウン位置まで押すと、係止板２７がストロボフック２２を押し退けるように反時計方向に回転する。そして、ストロボフック２２の係止部２２ｂが係止板２７と噛み合って、内蔵ストロボ２４はダウン状態となる。このとき、状態検出スイッチ６４は内蔵ストロボ２４がダウン状態となったことを検出する。  次に、図４を参照して、ライブビュー撮影モード時のシャッタチャージ機構及びストロボアップ機構の動作について説明する。図４（ａ）はライブビュー撮影モードで被写体を観察しているときの状態を示し、図４（ｂ）はライブビュー撮影モードで内蔵ストロボ２４をアップさせた状態を示す。図４（ｃ）は、内蔵ストロボ２４をアップした後、レリーズボタンを押圧して撮影スイッチ（ＳＷ２）をＯＮした状態（シャッタの走行直前のシャッタ撮影準備状態）を示す。
【００３５】
ライブビュー撮影モードが選択されると、図３（ａ）に示される待機状態から、シャッタチャージモータ１０の正転方向の回転を開始する。カムギヤ１７が時計方向に回転してチャージコロ１８ａがチャージカム１７のカムトップから外れる位置まで回転すると、位相検出部５５が、第２の位相信号Ｂを出力する。シャッタチャージモータ１０は、第２の位相信号Ｂが出力されることで、停止制御される。この状態が、図４（ａ）に示される状態になる。このとき、シャッタチャージレバー１９が不図示の付勢バネの力で反時計方向に回転し、シャッタの先羽根及び後羽根が走行可能な状態になる。
【００３６】
続いて、シャッタ制御回路５６から先羽根駆動コイル５７に通電が行われる。このとき、先羽根のみが走行して撮像素子３０に被写体像が取り込まれ、ライブビュー状態になり被写体像を画像表示部４５にリアルタイムに表示する。レリーズボタンが押圧されて撮影スイッチ（ＳＷ２）がＯＮすると、シャッタチャージモータ１０が正転方向に回転する。このとき、カムギヤ１７が駆動され、チャージカム１７ａによってチャージレバー１８を返してシャッタチャージレバー１９をチャージする。このとき、シャッタの後羽根は走行していないため、シャッタの先羽根だけがチャージされる。
【００３７】
その後、更にカムギヤ１７が回転し、図４（ａ）に示される状態まで駆動さえると、第２の位相信号Ｂが出力されてシャッタチャージモータ１０が停止制御される。そして、所定の時間でシャッタ制御回路５６から先羽根駆動コイル５７と後羽根駆動コイル５８に通電が行われると、シャッタの先羽根と後羽根が走行して、露光動作が行われる。露光動作が終了すると、シャッタチャージモータ１０が正転方向に回転して、カムギヤ１７が図４（ａ）に示される状態になって第２の位相信号Ｂが出力され、シャッタチャージモータ１０が停止制御される。その後、シャッタ制御回路５６から先羽根駆動コイル５７に通電が行われ、先羽根のみが走行し、撮像素子３０に被写体像が取り込まれて、再びライブビュー状態になる。
【００３８】
次に、ライブビュー撮影モードで内蔵ストロボ２４をアップさせたときの動作について説明する。被写体像を画像表示部４５にリアルタイムに表示するライブビュー状態で、内蔵ストロボ２４をアップする場合、シャッタチャージモータ１０の逆転方向の回転を開始する。シャッタチャージモータ１０を逆転方向に回転すると、図４（ｂ）に示されるように、遊星ギヤ１４がストロボ駆動ギヤ２０に噛み合う。
【００３９】
ストロボ駆動ギヤ２０は、フック解除ギヤ２１を回転させて、ストロボフック２２をフック戻しバネ２３に抗して反時計方向に駆動する。これにより、ストロボフック２２が係止板２７から外れ、内蔵ストロボ２４は図４（ｂ）に示されるようにアップする。内蔵ストロボ２４がアップすると、状態検出スイッチ６４によって内蔵ストロボ２４がアップ状態となったことを検出する。
【００４０】
通常撮影モードでは、内蔵ストロボ２４のアップ状態を検出すると、シャッタチャージモータ１０を逆転方向から正転方向に反転し、第１の位相信号Ａが出力するまでシャッタチャージモータ１０を駆動した。しかし、ライブビュー撮影モードでは、状態検出スイッチ６４によって内蔵ストロボ２４がアップ状態を検出すると、シャッタチャージモータ１０を停止制御する。このとき、シャッタチャージモータ１０は正転方向の回転をしないので、遊星ギヤ１４はストロボ駆動ギヤ２０に噛み合ったままとなる。
【００４１】
ライブビュー撮影モードにて、レリーズボタンが押圧されて撮影スイッチ（ＳＷ２）がＯＮすると、シャッタチャージモータ１０が正転方向の回転を開始する。カムギヤ１７を駆動してチャージカム１７ａによってチャージレバー１８を介し、シャッタチャージレバー１９をチャージする。このとき、シャッタの後羽根は走行していない。このため、シャッタの先羽根だけがチャージされる。
【００４２】
その後、更にカムギヤ１７が回転して、図４（ｃ）に示されるシャッタ撮影準備状態となると、第２の位相信号Ｂが出力されて、シャッタチャージモータ１０が停止制御される。そして、所定の時間でシャッタ制御回路５６から先羽根駆動コイル５７と後羽根駆動コイル５８に通電が行われると、シャッタの先羽根が走行し、先羽根に連動して内蔵ストロボ２４が発光する。内蔵ストロボ２４の発光後に後羽根が走行し、内蔵ストロボ２４を用いた露光が行われる。
【００４３】
露光動作が終了すると、シャッタチャージモータ１０を第２の位相信号Ｂが出力されるまで正転方向に回転して、チャージカムギヤ１７を図４（ｃ）に示される状態にする。その後、シャッタ制御回路５６から先羽根駆動コイル５７に通電が行われて先羽根のみが走行し、撮像素子３０に被写体像が取り込まれて再びライブビュー状態になる。
【００４４】
ライブビュー撮影モードでは、画像表示部４５に被写体が表示されている状態では、常にシャッタの先羽根が走行した状態になっている。このため、通常撮影モードと同様に、内蔵ストロボ２４がアップ状態となったことに応じて再チャージ動作を行うと、シャッタの先羽根が走行前の状態になり、ライブビューが中断してしまう。
【００４５】
また、ライブビュー撮影モードで内蔵ストロボ２４をアップさせたのち、撮影を行わずに、内蔵ストロボを手でダウン状態にしてカメラの電源スイッチをオフした場合には、以下のように制御される。カメラの電源オフに応じて、シャッタチャージモータ１０を正転方向に回転させて、第１の位相信号Ａの出力によってシャッタチャージモータ１０を停止制御したのち、電源オフ処理を行う。これによって、カムギヤ１７は図３（ａ）に示される待機状態まで駆動された後、カメラの電源がオフされる。このため、通常撮影モードと同様に、ピニオンギヤ１１からカムギヤ１７までの機構が連結されている。したがって、電源オフの状態で、カメラに振動等が加わったときにも、カムギヤ１７の位置がずれることを抑制することができる。
【実施例２】
【００４６】
以下、本発明の実施例２について説明する。実施例２は、フォーカルプレーンシャッタと電子シャッタを併用して（これよりハイブリッドシャッタという）撮像動作を行う一眼レフタイプの撮像装置に本発明を実施するものである。ライブビュー撮影モードで撮影をするときに、このようなハイブリッドシャッタを用いた場合の動作について説明する。ハイブリッドシャッタは、メカシャッタで構成される後羽根と、後羽根の走行に先行して撮像素子の画素のリセット走査を行う電子シャッタ（電子先羽根）とにより、撮影が行われる。この撮像素子の電荷蓄積開始走査（以下、リセット走査という）は、後羽根のメカシャッタの走行特性に合わせた走査パターンとなっている。
【００４７】
図５は、撮像素子３０及び後羽根１０３の正面図であり、電子先羽根のリセット走査及び後羽根１０３の走行が途中にあるときの状態を示している。矢印１０１は、電子先羽根のリセット走査及び読み出し走査の走査方向と、後羽根の走行方向を示す。撮影動作で電子先羽根のリセット走査を行う場合、撮影レンズを介して撮像素子３０の撮像面で結像した被写体像は上下が反転する。このため、撮像面の下側から上側に向かってリセット走査が行われることになる。
【００４８】
１０２は、撮像素子３０の撮像面である。１０３は後羽根であり、撮像面１０２の一部の領域を遮光する。１０４は、撮像素子３０のうち電荷リセットされるライン（リセットライン）である。リセットライン１０４は、電子先羽根の先端に相当する。リセットライン１０４と後羽根１０３の先端１０５との間のスリットによって形成される領域は、撮像素子３０において露光による電荷蓄積が行われている領域（電荷蓄積領域１０６）である。
【００４９】
そして、撮像素子３０内の特定の画素において、リセットライン１０４が通過してから、すなわち、リセット動作が開始されてから、後羽根１０３によって遮光状態となるまでの時間は、上記特定の画素における露光による電荷蓄積時間となる。また、電荷蓄積の開始タイミングは、撮像素子３０の行毎で異なり、撮像面のうち最も下に位置する行で電荷蓄積動作が最も早く開始され、最も上に位置する行で電荷蓄積動作が最も遅く開始される。
【００５０】
次に、ハイブリッドシャッタを用いた場合のライブビュー撮影について説明する。ライブビュー撮影モードが選択されると、図３（ａ）の待機状態から、シャッタチャージモータ１０の正転方向の回転を開始し、チャージコロ１８ａがチャージカム１７のカムトップから外れる位置まで回転すると、位相検出部５５が、第２の位相信号Ｂを出力する。シャッタチャージモータ１０は、第２の位相信号Ｂが出力されることで、停止制御される。これによって、図４（ａ）に示される状態になる。そして、シャッタチャージレバー１９が不図示の付勢バネの力で反時計方向に回転し、シャッタの先羽根と後羽根が走行可能な状態になる。続いて、シャッタ制御回路５６から先羽根駆動コイル５７に通電が行われて先羽根のみが走行し、撮像素子３０に被写体像が取り込まれて、ライブビュー状態となる。ここまでは、実施例１と同じである。
【００５１】
レリーズボタンが押されて撮影スイッチ（ＳＷ２）がＯＮすると、電子先羽根のリセット走査がスタートする。そして、所定の露光時間になるようにシャッタ制御回路５６から後羽根駆動コイル５８に通電が行われると、メカ後羽根（後羽根１０３）が所定の時間後に走行し、露光が行われる。
【００５２】
露光動作が終了すると、シャッタチャージモータ１０を第２の位相信号Ｂが出力されるまで正転方向に回転し、チャージカムギヤ１７を図４（ａ）に示される状態にする。その後、シャッタ制御回路５６から先羽根駆動コイル５７に通電が行われて先羽根のみが走行し、撮像素子３０に被写体像が取り込まれて、ライブビュー状態になる。ハイブリッドシャッタを用いた場合、レリーズボタンが押されて撮影スイッチ（ＳＷ２）がＯＮしてから実際に撮影が行われるまでの時間を短くすることができる。
【００５３】
次に、ハイブリッドシャッタを用いた場合において、ライブビュー撮影モードで内蔵ストロボ２４をアップさせたときの動作について説明する。ライブビュー状態で内蔵ストロボ２４をアップする場合、シャッタチャージモータ１０の逆転方向の回転を開始し、図４（ｂ）に示される遊星ギヤ１４がストロボ駆動ギヤ２０に噛み合う。ストロボ駆動ギヤ２０は、フック解除ギヤ２１を回転させて、係止板２７からストロボフック２２を外し、内蔵ストロボ２４を図４（ｂ）に示されるようにアップさせる。ここまでは、実施例１と同じである。
【００５４】
レリーズボタンが押圧されて撮影スイッチ（ＳＷ２）がＯＮすると、ハイブリッドシャッタを用いた場合は、直ちに電子先羽根のリセット走査がスタートする。このとき、電子先羽根のリセット走査に連動してストロボが発光し、所定の露光時間になるようにシャッタ制御回路５６から後羽根駆動コイル５８に通電が行われると、メカ後羽根（後羽根１０３）が所定の時間後に走行し、内蔵ストロボ２４を用いた露光が行われる。
【００５５】
露光動作が終了すると、シャッタチャージモータ１０を第２の位相信号Ｂが出力されるまで正転方向に回転し、チャージカムギヤ１７を図４（ａ）に示される状態にする。その後、シャッタ制御回路５６から先羽根駆動コイル５７に通電が行われて先羽根のみが走行し、撮像素子３０に被写体像が取り込まれて、ライブビュー状態になる。ハイブリッドシャッタを用いた場合、レリーズボタンが押されて撮影スイッチ（ＳＷ２）がＯＮしてから実際に撮影が行われるまでの時間を短くすることができる。内蔵ストロボ２４をアップさせたときの遊星ギヤ１４の切り換えについては、通常のメカシャッタを用いたときと同様である。すなわち、ライブビュー撮影モードでは、内蔵ストロボ２４がアップ状態となったことに応じて、シャッタチャージモータ１０の逆転方向の回転を停止制御するのみで、正転方向に回転させない。
【００５６】
本実施例において、内蔵ストロボ２４のアップについては、ストロボフック２２を係止板２７から外して、内蔵ストロボ２４がバネ力でアップするようにしたが、例えば、カム等を用いて直接、内蔵ストロボ２４をアップさせるように構成してもよい。
【００５７】
以上、上記各実施例によれば、ライブビュー撮影モードを備えたカメラであって、振動時のエラー発生を抑制し、露光に要する時間を短縮したカメラを提供することができる。
【００５８】
以上、本発明の実施例について具体的に説明した。ただし、本発明は上記実施例として記載された事項に限定されるものではなく、その要旨の範囲内で種々の変形又は変更が可能である。
【符号の説明】
【００５９】
１：シャッタチャージ機構、２：遊星ギヤクラッチ、３：ストロボ係止解除機構、１０：シャッタチャージモータ、２４：内蔵ストロボ、４７：システム制御用ＣＰＵ
【図１】
0005570159.tif 000002
【図２】
0005570159.tif 000003
【図３】
0005570159.tif 000004
【図４】
0005570159.tif 000005
【図５】
0005570159.tif 000006